(57)【要約】【課題】記録ディスク再生装置を内蔵したテレビジョン受像機において、映像コンテンツが含まれない記録ディスク又は音声コンテンツが含まれる記録ディスクを再生するときに、表示手段を省電力駆動することを可能にする。【解決手段】記録ディスク再生装置（録画再生装置３０で例示）は、再生対象の記録ディスクに格納されているコンテンツが映像を含むものであるか否かを判別するディスク判別手段を、例えばマイコン３１内に備える。ＴＶ受像機（液晶ＴＶ１で例示）の本体側制御手段（システム制御マイコン１９で例示）は、ディスク判別手段での判別の結果をマイコン３１から受けるなどして、映像を含まないコンテンツのみが格納された記録ディスクが再生対象となっている場合、バックライト１７を消灯や減光させるようにバックライト制御回路１８を制御するなど、表示手段に対し消費電力を減らすように制御する駆動制御手段を有する。【選択図】図１
2007166301.tif 000002
【特許請求の範囲】
【請求項１】
記録ディスク再生装置を内蔵したテレビジョン受像機において、映像を表示する表示手段と、音声を出力する音声出力手段と、少なくとも前記表示手段及び前記音声出力手段を制御する本体側制御手段とを備え、前記記録ディスク再生装置は、再生対象の記録ディスクに格納されているコンテンツが映像を含むものであるか否かを判別するディスク判別手段を有し、前記本体側制御手段は、前記ディスク判別手段での判別の結果、映像を含まないコンテンツのみが格納された記録ディスクが再生対象となっている場合、前記表示手段に対し消費電力を減らすように制御する駆動制御手段を有することを特徴とするテレビジョン受像機。
【請求項２】
前記ディスク判別手段は、前記再生対象の記録ディスクの種類を判別することにより、格納されているコンテンツに対する映像の有無を判別することを特徴とする請求項１に記載のテレビジョン受像機。
【請求項３】
前記駆動制御手段は、前記ディスク判別手段での判別の結果、映像を含まないコンテンツのみが格納された記録ディスクが再生対象となっている場合、再生開始から所定期間後に、前記表示手段に対し消費電力を減らすように制御することを特徴とする請求項１又は２に記載のテレビジョン受像機。
【請求項４】
前記駆動制御手段は、前記ディスク判別手段での判別の結果、映像を含まないコンテンツを少なくとも１つ格納された記録ディスクが再生対象となり且つ該映像を含まないコンテンツが再生されている場合、前記表示手段に対し消費電力を減らすように制御することを特徴とする請求項１乃至３のいずれか１項に記載のテレビジョン受像機。
【請求項５】
前記駆動制御手段で、前記表示手段に対し消費電力を減らすように制御する際に、併せて、故障時とは異なる点滅周期で発光させる発光手段を備えたことを特徴とする請求項１乃至４のいずれか１項に記載のテレビジョン受像機。
【請求項６】
前記駆動制御手段は、前記表示手段に対し消費電力を減らすように制御することを実行するか否か、予めユーザに設定させる駆動制御設定手段を有することを特徴とする請求項１乃至５のいずれか１項に記載のテレビジョン受像機。
【請求項７】
前記記録ディスク再生装置に対するユーザ操作を受け付け、前記本体側制御手段に伝えるユーザ操作入力手段を備え、前記駆動制御手段は、前記ユーザ操作入力手段によりユーザ操作が入力された場合、前記表示手段に対し消費電力を減らすような駆動を中止する手段を有することを特徴とする請求項１乃至６のいずれか１項に記載のテレビジョン受像機。
【請求項８】
前記音声出力手段は、入力された音声信号を増幅する内蔵アンプと、該内蔵アンプから出力された信号を音声出力する内蔵スピーカと、前記内蔵アンプから出力された信号を外部のスピーカへ出力するための外部出力端子と、前記内蔵アンプから出力された信号の出力先を前記内蔵スピーカと前記外部出力端子との間で切り換える切換回路とを有し、前記駆動制御手段は、前記表示手段に対し消費電力を減らすような駆動を実行する際に、前記切換回路を切り換えて前記出力先を前記外部出力端子側にする制御を行うことを特徴とする請求項１乃至７のいずれか１項のテレビジョン受像機。
【請求項９】
前記音声出力手段は、入力された音声信号を音声出力する内蔵スピーカと、入力された音声信号を外部のスピーカへ出力するための外部出力端子と、前記入力された音声信号の出力先を前記内蔵スピーカと前記外部出力端子との間で切り換える切換回路とを有し、前記駆動制御手段は、前記表示手段に対し消費電力を減らすような駆動を実行する際に、前記切換回路を切り換えて前記出力先を前記外部出力端子側にする制御を行うことを特徴とする請求項１乃至７のいずれか１項のテレビジョン受像機。
【請求項１０】
前記表示手段は、液晶表示パネルと、該液晶表示パネルを背面から照射するバックライトとを有し、前記駆動制御手段は、前記表示手段に対し消費電力を減らすような駆動として、前記バックライトの輝度を減らすような駆動を実行することを特徴とする請求項１乃至９のいずれか１項に記載のテレビジョン受像機。
【請求項１１】
前記記録ディスク再生装置は、前記表示手段及び前記音声出力手段に、記録ディスクに記録されたコンテンツを再生出力する再生手段と、少なくとも前記ディスク判別手段及び前記再生手段を制御する再生装置側制御手段とを有することを特徴とする請求項１乃至１０のいずれか１項に記載のテレビジョン受像機。
【請求項１２】
前記再生装置側制御手段が、前記ディスク判別手段の判別結果の信号を前記本体側制御手段に伝えることを特徴とする請求項１１に記載のテレビジョン受像機。
【請求項１３】
前記再生手段は、前記記録ディスクとしてＤＶＤに記録されたコンテンツを再生出力する手段と、前記記録ディスクとしてＣＤに記録されたコンテンツを再生出力する手段とを有することを特徴とする請求項１１又は１２に記載のテレビジョン受像機。
【請求項１４】
可搬型記録媒体から映像のコンテンツを読み出して前記表示手段に再生出力する映像再生手段を備え、該映像再生手段は、前記再生手段で前記音声出力手段に再生出力される音声のコンテンツと同期再生することを特徴とする請求項１１乃至１３のいずれか１項に記載のテレビジョン受像機。
【請求項１５】
請求項１乃至１４のいずれか１項に記載のテレビジョン受像機に組み込み、前記本体側制御手段として、コンピュータを機能させるためのプログラム。
【請求項１６】
請求項１１乃至１４のいずれか１項に記載のテレビジョン受像機における前記記録ディスク再生装置に組み込み、前記再生装置側制御手段として、コンピュータを機能させるためのプログラム。
【発明の詳細な説明】
【技術分野】
【０００１】
本発明は、テレビジョン受像機及びプログラムに関し、より詳細には、記録ディスク再生装置を内蔵したテレビジョン受像機、及びそのテレビジョン受像機に組み込むためのプログラムに関する。
【背景技術】
【０００２】
テレビ放送を受信して映像・音声を出力するテレビジョン受像機が普及している。また、テレビジョン受像機は、本体のスピーカで音声を出力する他、外付けのスピーカで楽しむことが可能なよう音声出力端子、或いは外部スピーカ接続端子を持っているものがある。これらは、テレビのユーザメニューによって、本体スピーカを使うのか、外部スピーカを使うのかが選択される。
【０００３】
一方で、様々なコンテンツを格納したＤＶＤ（Ｄｉｇｉｔａｌ  Ｖｅｒｓａｔｉｌｅ  Ｄｉｓｃ）やＣＤ（Ｃｏｍｐａｃｔ  Ｄｉｓｃ）等の記録ディスクを装着し、コンテンツを再生する記録ディスク再生装置も普及している。この記録ディスク再生装置は、表示モニタに接続し、その表示モニタに映像を再生表示している。そして、このような記録ディスク再生装置は、テレビジョン受像機に内蔵されているものもある。
【０００４】
特許文献１には、ＰＤＰ（プラズマディスプレイ）に接続されるＶＴＲやＤＶＤ再生機器などからの入力信号がブルーバックになった時、輝度を変えたり、青色を黒色表示に変換して表示するなどし、発光体の寿命を延ばす技術が記載されている。特許文献１に記載の技術は、ＰＤＰの特性上、同一色高輝度状態が永く続くことは基本性能を下げる要因にもなることから、外部からの接続でブルー一色信号などを判別してその要因を低減するものである。
【０００５】
また、特許文献２には、ラジオ受信時で、選局番号や音声、モード表示などが必要ない場合に液晶用のバックライトを非点灯にする技術が記載されている。
【特許文献１】特開２００４−１９８５９５号公報
【特許文献２】特開平１−３０３７７号公報
【発明の開示】
【発明が解決しようとする課題】
【０００６】
しかしながら、特許文献１に記載の技術では、ＤＶＤプレーヤ等の外部の再生機器でオーディオＣＤなど音声のみの再生を行なう際に、映像信号ケーブルが挿されていなかった場合にはノイズが出力され、表示画面にノイズが映し出される場合もある。また、映像信号ケーブルが挿されていても、信号検出手段が完璧とは言えないので、ブルーバック信号が出るとは限らず、同様の問題が生じる。
【０００７】
同様の問題は、記録ディスク再生装置が内蔵されたテレビジョン受像機においても生じ得、音声のみのコンテンツ（音声コンテンツ）が記録された記録ディスクを再生する場合には、信号検出手段が完璧とは言えないのでノイズが映し出されることもある。
【０００８】
また、特許文献２に記載の技術は、テレビジョン受像機とラジオ受信機の複合商品に関する技術であり、ラジオ放送を聴くためには、選局、音量、モード等の表示状態である判別信号が伝えられる時以外にテレビジョン受像機の表示装置は使用する必要がない。従って、特許文献２に記載の技術を記録ディスク再生装置内蔵のテレビジョン受像機に単に適用したとしても、映像コンテンツが記録された記録ディスクを再生しても映像表示ができない。
【０００９】
また、音声出力に関しては、通常、工場の出荷状態では、外付けスピーカ用出力はオフに設定されている。従って、必要に応じて、ユーザがスイッチを切り換えてオフからオンにする必要がある。さらに、切り換えには、テレビジョン受像機のメニュー画面から、手動で切り換える必要があり、煩雑で使い勝手が悪い。
【００１０】
本発明は、上述のごとき実情に鑑みてなされたものであり、記録ディスク再生装置を内蔵した構成において、映像コンテンツが含まれない記録ディスク又は音声コンテンツが含まれる記録ディスクを再生するときに、表示手段を省電力駆動することが可能なテレビジョン受像機、及びそのテレビジョン受像機に実行可能に組み込むためのプログラムを提供することを、その目的とする。
【００１１】
また、本発明は、上述の記録ディスク再生装置を内蔵した構成において、音声コンテンツが含まれる記録ディスクを再生するときに、音声信号の出力先を内蔵スピーカから外部出力端子に切り換えて駆動することが可能なテレビジョン受像機、及びそのテレビジョン受像機に実行可能に組み込むためのプログラムを提供することを、他の目的とする。
【課題を解決するための手段】
【００１２】
上述の課題を解決するために、本発明の第１の技術手段は、記録ディスク再生装置を内蔵したテレビジョン受像機において、映像を表示する表示手段と、音声を出力する音声出力手段と、少なくとも前記表示手段及び前記音声出力手段を制御する本体側制御手段とを備え、前記記録ディスク再生装置は、再生対象の記録ディスクに格納されているコンテンツが映像を含むものであるか否かを判別するディスク判別手段を有し、前記本体側制御手段は、前記ディスク判別手段での判別の結果、映像を含まないコンテンツのみが格納された記録ディスクが再生対象となっている場合、前記表示手段に対し消費電力を減らすように制御する駆動制御手段を有することを特徴としたものである。
【００１３】
第２の技術手段は、第１の技術手段において、前記ディスク判別手段は、前記再生対象の記録ディスクの種類を判別することにより、格納されているコンテンツに対する映像の有無を判別することを特徴としたものである。
【００１４】
第３の技術手段は、第１又は第２の技術手段において、前記駆動制御手段は、前記ディスク判別手段での判別の結果、映像を含まないコンテンツのみが格納された記録ディスクが再生対象となっている場合、再生開始から所定期間後に、前記表示手段に対し消費電力を減らすように制御することを特徴としたものである。
【００１５】
第４の技術手段は、第１乃至第３のいずれかの技術手段において、前記駆動制御手段は、前記ディスク判別手段での判別の結果、映像を含まないコンテンツを少なくとも１つ格納された記録ディスクが再生対象となり且つ該映像を含まないコンテンツが再生されている場合、前記表示手段に対し消費電力を減らすように制御することを特徴としたものである。
【００１６】
第５の技術手段は、第１乃至第４のいずれかの技術手段において、前記駆動制御手段で、前記表示手段に対し消費電力を減らすように制御する際に、併せて、故障時とは異なる点滅周期で発光させる発光手段を備えたことを特徴としたものである。
【００１７】
第６の技術手段は、第１乃至第５のいずれかの技術手段において、前記駆動制御手段は、前記表示手段に対し消費電力を減らすように制御することを実行するか否か、予めユーザに設定させる駆動制御設定手段を有することを特徴としたものである。
【００１８】
第７の技術手段は、第１乃至第６のいずれかの技術手段において、前記記録ディスク再生装置に対するユーザ操作を受け付け、前記本体側制御手段に伝えるユーザ操作入力手段を備え、前記駆動制御手段は、前記ユーザ操作入力手段によりユーザ操作が入力された場合、前記表示手段に対し消費電力を減らすような駆動を中止する手段を有することを特徴としたものである。
【００１９】
第８の技術手段は、第１乃至第７のいずれかの技術手段において、前記音声出力手段は、入力された音声信号を増幅する内蔵アンプと、該内蔵アンプから出力された信号を音声出力する内蔵スピーカと、前記内蔵アンプから出力された信号を外部のスピーカへ出力するための外部出力端子と、前記内蔵アンプから出力された信号の出力先を前記内蔵スピーカと前記外部出力端子との間で切り換える切換回路とを有し、前記駆動制御手段は、前記表示手段に対し消費電力を減らすような駆動を実行する際に、前記切換回路を切り換えて前記出力先を前記外部出力端子側にする制御を行うことを特徴としたものである。
【００２０】
第９の技術手段は、第１乃至第７のいずれかの技術手段において、前記音声出力手段は、入力された音声信号を音声出力する内蔵スピーカと、入力された音声信号を外部のスピーカへ出力するための外部出力端子と、前記入力された音声信号の出力先を前記内蔵スピーカと前記外部出力端子との間で切り換える切換回路とを有し、前記駆動制御手段は、前記表示手段に対し消費電力を減らすような駆動を実行する際に、前記切換回路を切り換えて前記出力先を前記外部出力端子側にする制御を行うことを特徴としたものである。
【００２１】
第１０の技術手段は、第１乃至第９のいずれかの技術手段において、前記表示手段は、液晶表示パネルと、該液晶表示パネルを背面から照射するバックライトとを有し、前記駆動制御手段は、前記表示手段に対し消費電力を減らすような駆動として、前記バックライトの輝度を減らすような駆動を実行することを特徴としたものである。
【００２２】
第１１の技術手段は、第１乃至第１０のいずれかの技術手段において、前記記録ディスク再生装置は、前記表示手段及び前記音声出力手段に、記録ディスクに記録されたコンテンツを再生出力する再生手段と、少なくとも前記ディスク判別手段及び前記再生手段を制御する再生装置側制御手段とを有することを特徴としたものである。
【００２３】
第１２の技術手段は、第１１の技術手段において、前記再生装置側制御手段が、前記ディスク判別手段の判別結果の信号を前記本体側制御手段に伝えることを特徴としたものである。
【００２４】
第１３の技術手段は、第１１又は第１２の技術手段において、前記再生手段は、前記記録ディスクとしてＤＶＤに記録されたコンテンツを再生出力する手段と、前記記録ディスクとしてＣＤに記録されたコンテンツを再生出力する手段とを有することを特徴としたものである。
【００２５】
第１４の技術手段は、第１１乃至第１３のいずれかの技術手段において、可搬型記録媒体から映像のコンテンツを読み出して前記表示手段に再生出力する映像再生手段を備え、該映像再生手段は、前記再生手段で前記音声出力手段に再生出力される音声のコンテンツと同期再生することを特徴としたものである。
【００２６】
第１５の技術手段は、第１乃至第１４のいずれかの技術手段におけるテレビジョン受像機に組み込み、前記本体側制御手段として、コンピュータを機能させるためのプログラムである。
【００２７】
第１６の技術手段は、第１１乃至第１４のいずれかの技術手段におけるテレビジョン受像機における前記記録ディスク再生装置に組み込み、前記再生装置側制御手段として、コンピュータを機能させるためのプログラムである。
【発明の効果】
【００２８】
本発明によれば、記録ディスク再生装置を内蔵したテレビジョン受像機において、映像コンテンツが含まれない記録ディスク又は音声コンテンツが含まれる記録ディスクを再生するときに、表示手段を省電力駆動することが可能となる。
【００２９】
本発明によれば、さらに、音声コンテンツが含まれる記録ディスクを再生するときに、音声信号の出力先を内蔵スピーカから外部出力端子に切り換えて駆動することも可能となる。
【発明を実施するための最良の形態】
【００３０】
本発明に係るテレビジョン受像機（以下、ＴＶ受像機という）は、ＤＶＤ再生機器、ＣＤ再生機器、ＤＶＤ／ＣＤ再生機器、ＢＤ（Ｂｌｕ−ｒａｙ  Ｄｉｓｃ）再生機器、ＶＣＲ（ビデオカセットレコーダ）、ハードディスク（ＨＤＤ）レコーダ等の、各種記録ディスク再生装置（或いは記録ディスク記録再生装置）が一体に組み込まれたものである。ここで、ＤＶＤ再生機器やＤＶＤ／ＣＤ再生機器が組み込まれたＴＶ受像機としては、設置型に限らず、ポータブルＤＶＤプレーヤ等の可搬型であっても本発明に適用可能である。本発明に係るＴＶ受像機は、一般的なものと同様に、映像を表示する表示手段と、音声を出力する音声出力手段と、少なくとも表示手段及び音声出力手段を制御する本体側制御手段とを備える。
【００３１】
ＴＶ受像機に記録ディスク再生装置が搭載される際、コスト面及びシステム設計の困難さから記録ディスク再生装置の完成品が移植される形態で組み込まれる。この場合、ＴＶ受像機の各部位はＴＶ受像機自身のマイクロコンピュータ（マイコン）等の制御手段（本体側制御手段）によって制御され、記録ディスク再生装置はＴＶ側のマイコンとの信号のやり取りを行う自身のマイコン等の再生装置側制御手段によって内包される各部位が制御される。これにより、ＴＶ側のマイコンで記録ディスク再生装置側での再生処理も制御するといったシステム設計上の困難さは解消される。ここで、ＴＶ受像機側のマイコンと再生装置側のマイコンとの主従は問わず、決めておけば、マイコン同士で通信してお互いを把握しながら、ユーザ操作を受け付けて処理を実行すればよいだけである。
【００３２】
以下、記録ディスク再生装置として、ＣＤ／ＤＶＤドライブ及びハードディスクドライブ（ＨＤＤ）の混載型の録画再生装置を挙げ、ＴＶ受像機として液晶ＴＶを挙げて例示するが、例えばＰＤＰや有機ＥＬ（ｅｌｅｃｔｒｏ  ｌｕｍｉｎｅｓｃｅｎｃｅ）ディスプレイ等を適用した場合や他の組み合わせも特に但し書きしない場合、同様に適用できる。この例では、録画再生装置は、液晶ＴＶ本体の表示手段及び音声出力手段に、記録ディスクに記録されたコンテンツを再生出力する再生手段を有し、その再生手段として、記録ディスクとしてＤＶＤ、ＣＤ、ＨＤに記録されたコンテンツを再生出力するそれぞれの手段を有する。
【００３３】
図１は、本発明の一実施形態に係るＴＶ受像機の回路構成例を示すブロック図で、図中、１はＴＶ受像機の一例としてのＤＶＤ一体型液晶ＴＶ、１９はＤＶＤ一体型液晶ＴＶ１のシステム制御マイコン、３０は録画再生装置、３１は録画再生装置３０のマイコンである。
【００３４】
ＤＶＤ一体型液晶ＴＶ１は、ＴＶ放送信号受信アンテナ１０、放送受信回路１１、液晶表示パネル１２、表示タイミングコントローラ１３、映像信号処理回路１４、入出力信号切換回路１５、音声信号処理回路１６、液晶パネルバックライト１７（以下、バックライト１７という）、バックライト制御回路１８、スイッチ回路２０、操作パネル２１、リモコン信号受信回路２２、内蔵スピーカ２３、外部出力端子（外部スピーカ出力端子）２４、及び、それらを制御するシステム制御マイコン１９を備える。液晶ＴＶ１は、さらに録画再生装置３０も備え、録画再生装置３０は自身を制御するマイコン３１を備える。
【００３５】
ＴＶ放送信号受信アンテナ１０はＴＶ放送信号を受信し、放送受信回路１１は受信したＴＶ放送信号に基づき映像信号及び音声信号を出力する。放送受信回路１１は、受信するチャンネルに同調を行うチューナ、復調を行うために受信信号をＩＦ（Ｉｎｔｅｒｍｅｄｉａｔｅ  Ｆｒｅｑｕｅｎｃｙ）信号の周波数まで引き下げるＩＦ回路、映像信号を復調する映像信号復調回路、及び、音声信号を復調する音声信号復調回路などで構成される。
【００３６】
入出力信号切換回路１５は、放送受信回路１１、映像信号入力端子及び図示しない音声信号入力端子、及び録画再生装置３０のいずれかから入力される映像・音声信号を、映像信号処理回路１４及び音声信号処理回路１６、映像信号出力端子及び図示しない音声信号出力端子、及び録画再生装置３０（の録画部）のいずれかへ出力する切り換えを行う。この切り換えは、操作パネル２１やリモコン操作の信号を受けたリモコン信号受信回路２２からの入力操作に基づき、システム制御マイコン１９からの制御により実行される。
【００３７】
映像信号処理回路１４は、システム制御マイコン１９からの制御により、入出力信号切換回路１５から入力された映像信号に対し、各種映像処理を施し、処理後の信号を表示タイミングコントローラ１３に渡す。表示タイミングコントローラ１３は、システム制御マイコン１９からの制御により、液晶表示パネル１２に対する表示制御を行う。液晶表示パネル１２は、その表示制御に基づき映像を表示する。
【００３８】
一方で、バックライト制御回路１８はバックライト１７の点灯を制御する。バックライト１７により発光された光は、液晶表示パネル１２を背面から照射し、これによりユーザが映像を視認できるようになる。ここで、上述した表示手段としては、液晶表示パネル１２、表示タイミングコントローラ１３、映像信号処理回路１４、バックライト１７、及びバックライト制御回路１８が該当する。
【００３９】
音声信号処理回路１６は、システム制御マイコン１９からのボリュームコントロール信号等による制御で、入出力信号切換回路１５から入力された音声信号に対し、各種音声処理を施し、処理後の信号をスイッチ回路２０に渡す。音声信号処理回路１６には、図示したように、入力された音声信号を増幅する内蔵アンプを設けてもよいし、設けなくてもよい。但し、内蔵アンプの有無によって後述するように音声出力に関する形態が異なる。
【００４０】
スイッチ回路２０は、システム制御マイコン１９からの制御により、音声信号の出力先を内蔵スピーカ２３と外部スピーカ出力端子２４との間で切り換える。ここで、上述した音声出力手段としては、音声信号処理回路１６、スイッチ回路２０、内蔵スピーカ２３、及び外部スピーカ出力端子２４が該当する。
【００４１】
操作パネル２１は、チャンネル切換、入力切換、モード切換、音量調整、バックライト１７の輝度調整等の各種設定など、様々なユーザ操作を受け付けるキーやボタンでなるパネルで、タッチパネルで構成してもよい。操作パネル２１で入力された操作の信号はシステム制御マイコン１９に伝送される。リモコン信号受信回路２２は、図示しないリモコンによる同様のユーザ操作の信号を受信し、システム制御マイコン１９に伝送する。
【００４２】
録画再生装置３０には、本発明の特徴として、再生対象の記録ディスクに格納されているコンテンツが映像を含むものであるか否かを判別するディスク判別手段を備えるものとする。従って、上述の再生装置側制御手段は、このディスク判別手段の制御も行う。なお、ここでは再生装置側制御手段をマイコン３１で例示し、ディスク判別手段の最終的な判別を実行するプログラムがマイコン３１のＲＯＭなどに実行可能に格納されているものとして例示する。
【００４３】
そして、本体側制御手段は、本発明の特徴として、ディスク判別手段での判別の結果、映像を含まないコンテンツのみが格納された記録ディスクが再生対象となっている場合、表示手段に対し消費電力を減らすように制御する駆動制御手段を有するものとする。
【００４４】
ここで、消費電力を減らすような駆動とは、消費電力を低くするように或いは無くすように減ずるような駆動を指し、この例での液晶表示装置の場合には、システム制御マイコン１９がバックライト制御回路１８に対してバックライト１７の輝度を減らす或いは無くすといった制御を実行させる。なお、液晶表示装置を採用しない構成においても、何らかの省電力を導く制御であればよい。以下、バックライト１７の制御により消費電力を低く或いは無くす例で説明する。
【００４５】
一般的に、ＤＶＤには映像信号が含まれ、ＣＤには映像信号が含まれないので、ＤＶＤを再生する場合には駆動制御手段で消費電力を減じ、ＣＤを再生する場合には消費電力をそのままにするような制御を行えばよい。例えば、シンプルに、ディスク判別手段でオーディオＣＤを検出したらバックライト１７の省電力制御を行えばよい。
【００４６】
このように、ＤＶＤプレーヤ機能とテレビ受信機能を複合化させたＤＶＤ一体型液晶ＴＶ１では、複合化により、再生対象の記録ディスクが映像信号を伴うＤＶＤ再生なのか、それとも映像信号を持たないオーディオ信号のみのメディア再生なのかといった録画再生装置３０側の状態がマイコン３１経由でシステム制御マイコン１９が把握し易く、液晶表示パネル１２のＴＶ表示画面に映像を表示するのが良いのか不要なのかの判定がし易くなる。
【００４７】
本発明はこのような判定し易さというメリットを利用し、映像信号のない音声信号のみの再生モードでは、バックライト１７の輝度を極端に下げる（減光する）か、或いは消灯するなどかして、消費電力の低減を実現する。結果的に、バックライト１７のランプの寿命向上にも結びつく。このように、本発明では、省エネ、長寿命化、及び使い勝手の向上が可能となる。また、本発明によれば、映像信号が無い場合には映像をミュートしたり、モニタ部の節電を図ったりするものとは異なり、記録ディスクに記録されたデータに基づきコントロールするので、より確実な動作を期待することができる。
【００４８】
また、ディスク判別手段での判別の結果は、再生装置側制御手段が信号として本体側制御手段に伝えるとよい。すなわち、マイコン３１が判別結果信号をシステム制御マイコン１９に伝えるとよい。
【００４９】
また、ディスク判別手段は、再生対象の記録ディスクの種類を判別することにより、格納されているコンテンツに対する映像の有無を判別するようにすることが好ましい。例えば、オーディオＣＤやＤＶＤなどの記録ディスクから読み出したＴＯＣ（Ｔａｂｌｅ  Ｏｆ  Ｃｏｎｔｅｎｔｓ）情報に基づき、録画再生装置３０に装着されたメディアの種別を判別し、バックライト１７のオン／オフ等を制御することにより、ＤＶＤ一体型液晶ＴＶ１での低消費電力化を図ることができる。
【００５０】
また、駆動制御手段は、ディスク判別手段での判別の結果、映像を含まないコンテンツのみが格納された記録ディスクが再生対象となっている場合、再生開始から所定期間後に、表示手段に対し消費電力を減らすように制御するようにしてもよい。再生開始から所定期間後とは、時間として所定期間を設定しておいてもよいし、モード表示や音量表示等のＯＳＤ（Ｏｎ  Ｓｃｒｅｅｎ  Ｄｉｓｐｌａｙ）表示が必要無くなるまでの期間として設定しておいてもよい。実際、オーディオＣＤ／ＤＶＤ再生時にはモード表示や音量表示が必要なときもあるが、再生している間全部は必要ない。従って、必要なくなった段階でバックライト１７の輝度を下げるか切るかして、消費電力低減させる。
【００５１】
逆に、モード変化や、操作パネル２１やリモコン信号受信回路２２からのユーザ操作信号の入力があった場合には、表示の必要性が生じた段階で、自動的にバックライト１７の輝度を通常に戻すように制御するとよい。
【００５２】
このように、液晶ＴＶ１は、操作パネル２１やリモコン及びリモコン信号受信回路２２で例示したように、録画再生装置３０に対するユーザ操作を受け付けて本体側制御手段に伝えるユーザ操作入力手段を備えることが好ましい。そして、駆動制御手段は、ユーザ操作入力手段によりユーザ操作が入力された場合、表示手段に対し消費電力を減らすような駆動を中止して復帰する手段を設けておくとよい。このような復帰により、バックライト１７の輝度制御も復帰するので、ＯＳＤ表示も元に戻すことができる。
【００５３】
また、上述の駆動制御手段は、ディスク判別手段での判別の結果、映像を含まないコンテンツのみが格納された記録ディスクが再生対象となっている場合、表示手段に対し消費電力を減らすように制御するものとして説明したが、例えば、ＣＤでも映像が入っているものは、例えば映像が再生されていないときだけ駆動制御手段で消費電力を減じればよい。このように、駆動制御手段は、ディスク判別手段での判別の結果、映像を含まないコンテンツを少なくとも１つ格納された記録ディスクが再生対象となり且つ映像を含まないコンテンツが再生されている場合、表示手段に対し消費電力を減らすように制御するようにすればよい。
【００５４】
また、上述の駆動制御手段は、表示手段に対し消費電力を減らすように制御することを実行するか否か、予めユーザに設定させる駆動制御設定手段を有することが好ましい。このユーザ設定も操作パネル２１やリモコン及びリモコン信号受信回路２２から、操作信号がシステム制御マイコン１９に入力されることにより実行するとよい。
【００５５】
例えば、駆動制御設定手段がメニューモードを表示するよう表示手段を制御し、それに基づきユーザが予め設定できるようにすればよい。さらに、駆動制御設定手段では、例えば、ＤＶＤオーディオやＣＤ等のオーディオメインのソースの場合には、駆動制御手段における上述のごとき省電力のための制御を実行するといったユーザ設定も可能としておくとよい。なお、ＤＶＤオーディオとしては、高品位オーディオと一緒に楽しめる静止画やビデオクリップ、ライブシーン、インタビュー映像などを収録することもできる。また、ＤＶＤオーディオの音声は通常、専用の再生装置でないと再生できないが、通常のプレーヤでも再生できるように「ビデオ互換楽曲」なるものが収録されていることもある。このようにＤＶＤオーディオには映像が存在するので、上述のごときユーザ設定が不可能な場合には、省電力制御が実行されないが、上述のごときユーザ設定を可能とすることでこのような事態を解消することができる。
【００５６】
また、液晶ＴＶ１は、上述の駆動制御手段で、表示手段に対し消費電力を減らすように制御する際に、併せて、故障時とは異なる点滅周期で発光させるＬＥＤ等の発光手段を備えることが好ましい。これは、例えば上述の駆動制御設定手段でユーザがオーディオソースのときはバックライトを消灯するようにユーザ設定していたとしても、長い間には設定した本人がその事実を忘れることは間々あることなので、液晶ＴＶ１の故障と間違われなくするためである。バックライト１７が消灯モードであることをＬＥＤ表示することで、ユーザに視認させることができる。例えば、電源オンを示すＬＥＤを故障の場合は短い周期で点滅させて急を要することを視認させるようにし、モニタ部分がスリープモードに入っている場合には同じＬＥＤを長い周期で点滅させて暗に示すとよい。なお、この形態は、駆動制御設定手段でのユーザ設定が制御を実行するとされているときだけでなく、駆動制御設定手段を備えない形態においても適用できる。
【００５７】
また、液晶ＴＶ１に、ＰＣカード等の可搬型記録媒体から映像のコンテンツを読み出して表示手段に再生出力する映像再生手段を備えることが好ましい。そして、その映像再生手段は、再生手段で音声出力手段に再生出力される音声のコンテンツと同期再生するようにしておくとよい。本発明では、オーディオソースの再生に際し、通常、バックライト１７の輝度低減制御を伴うが、この形態では、ＰＣカード等に記録された映像があった場合にはその映像とオーディオソースとを同期再生し、輝度低減制御を実行しないようにするものである。
【００５８】
以上、本発明における表示手段の省電力制御について説明したが、本発明では、この省電力制御と併せて、或いはそれとは単独に、音声ディスクと映像ディスクとの差や音声コンテンツと映像コンテンツとの差により、音声出力手段の制御を実行することもできる。
【００５９】
まず、音声出力手段として、図示したように、内蔵アンプ、内蔵スピーカ２３、外部スピーカ出力端子２４、及び切換回路（スイッチ回路２０）を有する液晶ＴＶ１について説明する。内蔵スピーカ２３は、内蔵アンプから出力された信号を音声出力する。外部スピーカ出力端子２４は、内蔵アンプから出力された信号を外部のスピーカへ出力する。スイッチ回路２０は、内蔵アンプから出力された信号の出力先を内蔵スピーカ２３と外部スピーカ出力端子２４との間で切り換える。
【００６０】
次に、他の音声出力手段の構成として、上述の構成において内蔵アンプを備えない構成も考えられる。このような構成の場合、音声出力手段として、内蔵スピーカ２３と、入力された音声信号を外部のスピーカへ出力するための外部スピーカ出力端子２４と、入力された音声信号の出力先を内蔵スピーカ２３と外部スピーカ出力端子２４との間で切り換えるスイッチ回路２０とを有することとなる。この形態においては、外部スピーカ出力端子２４には外付けアンプを接続することを前提としている。
【００６１】
いずれの構成においても、上述の駆動制御手段は、表示手段に対し消費電力を減らすような駆動を実行する際に、スイッチ回路２０を切り換えて出力先を外部スピーカ出力端子２４側にする制御を行うようにする。
【００６２】
上述した複合化に伴うメリットを利用してこのような制御を実行することにより、映像信号のない音声信号のみの再生モードでは、外部スピーカ出力端子２４へ出力させるように音声専用出力を自動的にオフからオンに切り換え、外部スピーカ（或いは外部アンプに繋がった外部スピーカ）で楽しめるようにする。例えば音楽ＣＤは外付けスピーカ、映像ＤＶＤは内蔵スピーカといった自動切換を実行することで、煩わしい操作無しに、楽しむことが可能となる。但し、外部スピーカ（或いは外部アンプに繋がった外部スピーカ）を接続しないユーザもいることから、この機能はユーザ選択可能にしておくとよい。
【００６３】
なお、ディスク判別手段による判別結果と併せて、或いはこの判別結果の他に、外部スピーカ出力端子２４に、スピーカ又はジャック等が挿されていることを検出して、自動的に外部出力に切り換えるようにしてもよい。なお、外付けアンプを利用する形態でこのような検出を行う場合には、外付けアンプは常にオンとしておけばよい。
【００６４】
図２は、図１のＴＶ受像機における記録ディスク再生処理の一例を説明するためのフロー図である。ＤＶＤ一体型液晶ＴＶ１は、上述のごとき構成により記録ディスク再生処理を、例えば以下の手順で実行する。
【００６５】
まず、システム制御マイコン１９が放送受信回路１１で受信したテレビ番組を表示するか否かを、ユーザ操作又はデフォルト設定値に基づき発せられる入出力信号切換回路１５への切換指示信号などに基づいて判定し（ステップＳ１）、テレビ番組を表示している場合には、受信した映像を液晶表示パネル１２へ表示させる制御を行う（ステップＳ２）。このとき当然バックライト１７は通常点灯となる。
【００６６】
ステップＳ１でＮＯの場合、録画再生装置３０によるメディア再生を実行するのか否かを、ユーザ操作（記録ディスク挿入操作も含む）などに基づいて発せられる入出力信号切換回路１５への切換指示信号などに基づいて判定する（ステップＳ３）。記録ディスクのメディアを再生する場合には、まず、マイコン３１が記録ディスク判定手段によってメディア判別を実行して（ステップＳ４）、映像の有無を判定する（ステップＳ５）。ステップＳ５の結果は、システム制御マイコン１９に通知される。そして、映像が有りの場合、再生映像を液晶表示パネル１２に出力する（ステップＳ６）。
【００６７】
一方、映像が無かった場合、並びにステップＳ３でメディア再生でない場合（すなわち何も実行しない場合）には、システム制御マイコン１９はバックライト１７がオフとなるようバックライト制御回路１８を制御する（ステップＳ７）。続いて、システム制御マイコン１９は、スイッチ回路２０を制御して、外部スピーカ出力端子２４に音声出力を切り換える（ステップＳ８）。なお、ステップＳ７等のバックライト１７の制御と、ステップＳ８等の出力先のスピーカの制御とは、同時に行うことが好ましいが、前後してもよい。
【００６８】
続いて、システム制御マイコン１９はユーザ操作がなされたか否かを操作パネル２１やリモコン信号受信回路２２からの信号の有無により判定する（ステップＳ９）。ステップＳ９ではユーザ操作を待つことになる。システム制御マイコン１９は、ステップＳ９でユーザ操作がなされたと判定した場合、バックライト１７がオン（復帰）となるようバックライト制御回路１８を制御すると共に、ユーザ操作に関連するＯＳＤ表示を行う制御を実行する（ステップＳ１０）。ここで、ＯＳＤ表示に基づきユーザ操作がさらになされることも多い。その後、システム制御マイコン１９は、所定時間が経過したかを判定し（ステップＳ１１）、経過した場合のみ、再度、バックライト１７がオフとなるようバックライト制御回路１８を制御すると共に、ＯＳＤ表示もオフにする制御を行う（ステップＳ１２）。ステップＳ１２の後は、ステップＳ９に戻ることとなる。
【００６９】
以上、図１及び図２を参照しながら、本発明のＴＶ受像機について各実施形態を挙げて説明してきたが、本発明は、上述した各実施形態におけるＴＶ受像機（液晶ＴＶ１等）に組み込み、ＴＶ受像機のコンピュータ（システム制御マイコン１９等）を、本体側制御手段として機能させるためのプログラムとしての形態も採用できる。また、本発明は、上述した各実施形態における記録ディスク再生装置に組み込み、記録ディスク再生装置（録画再生装置３０等）のコンピュータ（マイコン３１等）を、再生装置側制御手段として機能させるためのプログラムとしての形態も採用できる。これらのプログラムは、システム制御マイコン１９（或いはマイコン３１）内のＲＯＭに格納され、同じく内部のＣＰＵによって内部のＲＡＭに読み出されて実行される。
【００７０】
また、本発明は、いずれか又は双方のプログラムを記録したコンピュータで読み取り可能な記録媒体としての形態も採用してもよい。ここでの記録媒体としては、具体的には、各種のＣＤ，ＭＯ（光磁気ディスク），ＤＶＤ，ＦＤ，フラッシュメモリや、その他各種ＲＯＭやＲＡＭ等が想定でき、上述したプログラムを、これら記録媒体に記録して流通させることにより、当機能の実現を容易にする。そして、ＴＶ受像機又はＴＶ受像機に接続されたＰＣなどに、上述のごとくの記録媒体を装着してそのプログラムを読み出すか、若しくはＴＶ受像機が備えている記録媒体（システム制御マイコン１９内のＲＯＭやマイコン３１内のＲＯＭ等）にそのプログラムを記憶させておき、必要に応じてこれを読み出すことにより、本発明に係わる機能を実行することができる。
【図面の簡単な説明】
【００７１】
【図１】本発明の一実施形態に係るＴＶ受像機の回路構成例を示すブロック図である。
【図２】図１のＴＶ受像機における記録ディスク再生処理の一例を説明するためのフロー図である。
【符号の説明】
【００７２】
１…ＤＶＤ一体型液晶ＴＶ、１０…ＴＶ放送信号受信アンテナ、１１…放送受信回路、１２…液晶表示パネル、１３…表示タイミングコントローラ、１４…映像信号処理回路、１５…入出力信号切換回路、１６…音声信号処理回路、１７…液晶パネルバックライト、１８…バックライト制御回路、１９…システム制御マイコン、２０…スイッチ回路、２１…操作パネル、２２…リモコン信号受信回路、２３…内蔵スピーカ、２４…外部スピーカ出力端子、３０…録画再生装置、３１…マイコン。
【図１】
2007166301.tif 000003
【図２】
2007166301.tif 000004